(57)【要約】【課題】使用時の違和感を低減できるポンポンを提供する。【解決手段】複数のフィルム部材３と、結束バンドと、結束バンド上に巻かれるグリップバンド１と、を備え、結束バンドは、フィルム部材３を結束するストラップ部４と、ストラップ部４の一端側に設けられ、ストラップ部４の他端側が挿通されるとともに他端側を抜け止め状態に保持するロック部５と、を備え、グリップバンド１は、ロック部５が入る開口部２を備え、開口部２にロック部５が入った状態で結束バンド上に巻かれることを特徴とする。【選択図】図１
2018177310.tif 000002
【特許請求の範囲】
【請求項１】
長手方向および短手方向を有する複数のフィルム部材と、
前記フィルム部材を前記長手方向の中央部において結束する結束バンドと、
前記フィルム部材を結束した状態の前記結束バンド上に巻かれるグリップバンドと、
を備え、
前記結束バンドは、
前記フィルム部材を結束するストラップ部と、
前記ストラップ部の一端側に設けられ、前記ストラップ部の他端側が挿通されるとともに前記他端側を抜け止め状態に保持するロック部と、を備え、
前記グリップバンドは、
前記ロック部が入る開口部を備え、前記開口部に前記ロック部が入った状態で前記結束バンド上に巻かれる
ことを特徴とするポンポン。
【請求項２】
前記グリップバンドは、
前記開口部が、長手方向に沿って形成された複数の開口を含み、
前記結束バンド上に巻かれた状態で、前記複数の開口同士が上下方向に重なる
ことを特徴とする請求項１に記載のポンポン。
【請求項３】
前記複数の開口は、前記結束バンド上に巻かれた状態で上に位置するものほど開口面積が大である
ことを特徴とする請求項２に記載のポンポン。
【請求項４】
前記グリップバンドは、多層構造の面ファスナーである
ことを特徴とする請求項１〜３のいずれか一項に記載のポンポン。
【請求項５】
ポンポンを構成するフィルム部材の長手方向の中央部を結束するストラップ部と、前記ストラップ部の一端側に設けられ、前記ストラップ部の他端側が挿通されるとともに前記他端側を抜け止め状態に保持するロック部と、を備えた結束バンドによって結束された前記ポンポンにおいて、前記結束バンド上に巻かれるポンポン用グリップバンドであって、
長手方向に沿って形成された複数の開口を備え、
前記複数の開口は、前記結束バンド上に巻かれた状態で上に位置するものほど開口面積が大であり、かつ、いずれも前記ロック部が入る大きさである
ことを特徴とするポンポン用グリップバンド。
【発明の詳細な説明】
【技術分野】
【０００１】
本発明は、ポンポンおよびポンポン用グリップバンドに関する。
【背景技術】
【０００２】
ポンポンは、例えば、特許文献１に記載の方法で製造される。この方法では、ポンポンを構成するフィルム部材の中央部に捻り部を形成し、捻り部を形成した複数のフィルム部材を互いに異なる角度間隔で交差するように積層し、中央部（捻り部）を結束手段で結束し、最後に、フィルム部材の両端部を立体的に広げる。これにより、球体形状のポンポンが製造される。
【先行技術文献】
【特許文献】
【０００３】
【特許文献１】特開２０１１−１０６３号公報
【発明の概要】
【発明が解決しようとする課題】
【０００４】
フィルム部材を結束する結束手段としては、結束バンドが使用されることがある。一般的な結束バンドは、フィルム部材を結束するストラップ部と、ストラップ部の一端側に設けられ、ストラップ部の他端側が挿通されるとともに他端側を抜け止め状態に保持するロック部と、を備える。この結束バンドでフィルム部材を結束すると、中央部において、ロック部が他の部分から突出した状態になる。このため、ポンポンの使用者は、ポンポンを持った際に違和感を覚える場合がある。
【０００５】
本発明は上記事情に鑑みてなされたものであって、その課題とするところは、使用時の違和感を低減できるポンポンおよびポンポン用グリップバンドを提供することにある。
【課題を解決するための手段】
【０００６】
上記課題を解決するために、本発明に係るポンポンは、
長手方向および短手方向を有する複数のフィルム部材と、
前記フィルム部材を前記長手方向の中央部において結束する結束バンドと、
前記フィルム部材を結束した状態の前記結束バンド上に巻かれるグリップバンドと、
を備え、
前記結束バンドは、
前記フィルム部材を結束するストラップ部と、
前記ストラップ部の一端側に設けられ、前記ストラップ部の他端側が挿通されるとともに前記他端側を抜け止め状態に保持するロック部と、を備え、
前記グリップバンドは、
前記ロック部が入る開口部を備え、前記開口部に前記ロック部が入った状態で前記結束バンド上に巻かれる
ことを特徴とする。
【０００７】
前記ポンポンにおいて、
前記グリップバンドは、
前記開口部が、長手方向に沿って形成された複数の開口を含み、
前記結束バンド上に巻かれた状態で、前記複数の開口同士が上下方向に重なる
ことが好ましい。
【０００８】
前記ポンポンにおいて、
前記複数の開口は、前記結束バンド上に巻かれた状態で上に位置するものほど開口面積が大である
ことが好ましい。
【０００９】
前記ポンポンにおいて、例えば、
前記グリップバンドは、多層構造の面ファスナーである。
【００１０】
また、上記課題を解決するために、本発明に係るポンポン用グリップバンドは、
ポンポンを構成するフィルム部材の長手方向の中央部を結束するストラップ部と、前記ストラップ部の一端側に設けられ、前記ストラップ部の他端側が挿通されるとともに前記他端側を抜け止め状態に保持するロック部と、を備えた結束バンドによって結束された前記ポンポンにおいて、前記結束バンド上に巻かれるポンポン用グリップバンドであって、
長手方向に沿って形成された複数の開口を備え、
前記複数の開口は、前記結束バンド上に巻かれた状態で上に位置するものほど開口面積が大であり、かつ、いずれも前記ロック部が入る大きさである
ことを特徴とする。
【発明の効果】
【００１１】
本発明によれば、使用時の違和感を低減できるポンポンおよびポンポン用グリップバンドを提供することができる。
【図面の簡単な説明】
【００１２】
【図１】（Ａ）は、本発明の一実施形態に係るポンポン用グリップバンドの平面図である。（Ｂ）は、ポンポン用グリップバンドを巻く前のポンポンの平面図である。
【図２】（Ａ）は、ポンポン用グリップバンドを巻いた後のポンポンの平面図である。（Ｂ）は、完成品のポンポンを示す図である。
【図３】ポンポン用グリップバンドを１回巻いたときのポンポンを示す図である。
【図４】ポンポン用グリップバンドを２回巻いたときのポンポンを示す図である。
【図５】ポンポン用グリップバンドを３回巻いたときのポンポンを示す図である。
【発明を実施するための形態】
【００１３】
以下、添付図面を参照して、本発明に係るポンポンおよびポンポン用グリップバンドの実施形態について説明する。
【００１４】
図１（Ａ）に、本発明の一実施形態に係るポンポン用グリップバンド１（以下、グリップバンド１）を示し、図１（Ｂ）に、グリップバンド１を巻く前のフィルム部材３を示す。また、図２に、グリップバンド１を巻き終えたフィルム部材３、すなわち、本発明の一実施形態に係るポンポン１０を示す。図２（Ａ）に示すポンポン１０は、フィルム部材３の両端部を立体的に広げる前の状態であり、図２（Ｂ）に示すポンポン１０は、フィルム部材３の両端部を立体的に広げた後の状態、すなわち完成品状態のポンポン１０を示す。
【００１５】
複数のフィルム部材３は、例えば、５０枚程度のプラスチック製フィルムで構成される。各フィルム部材３は、同一の形状（本実施形態では、長方形状）をしている。フィルム部材３の長手方向の長さは、例えば、３００ｍｍであり、フィルム部材３の短手方向の長さは、例えば、５０ｍｍである。
【００１６】
複数のフィルム部材３は、長手方向の中央部において、結束バンドおよび一対のテープ６により結束されている。一対のテープ６は、グリップバンド１を巻いたときに、グリップバンド１で隠れる位置に巻かれている。一対のテープ６は、省略してもよい。
【００１７】
結束バンドは、帯状のストラップ部４と、筒状のロック部５とで構成される。ストラップ部４は、複数のフィルム部材３を長手方向の中央部において結束する。ロック部５は、ストラップ部４の一端側に設けられ、ストラップ部４の他端側が挿通されるとともに、（例えば、筒内の爪等によって）ストラップ部４の他端側を抜け止め状態に保持する。ロック部５に挿通され、ロック部５から飛び出したストラップ部４の他端側は、安全のために切断されている。
【００１８】
図１（Ｂ）に示すように、結束バンドで複数のフィルム部材３を結束すると、フィルム部材３の中央部において、ロック部５が他の部分（例えば、ストラップ部４やフィルム部材３）から突出した状態になる。なお、このような状態で、結束バンド上にテープ等を巻いてグリップを形成したとしても、ロック部５のところは突出した状態になる。
【００１９】
グリップバンド１は、長手方向および短手方向を有する角丸の長方形状をした面ファスナーで構成される。本実施形態では、２層構造の面ファスナーを使用している。ポンポン１０は、図２（Ｂ）に示すように、最終的にフィルム部材３の両端部が立体的に広げられて球体形状になるが、その際にグリップバンド１の端部に負荷がかかる。グリップバンド１を多層構造（本実施形態では、２層構造）にすることで、前記負荷に対する耐久性が向上する。本実施形態では、２層ともナイロン素材で構成されている。
【００２０】
グリップバンド１は、開口部２を備える。開口部２は、長手方向に沿って形成された複数（本実施形態では、３つ）の開口２ａ、２ｂ、２ｃで構成される。開口２ａ、２ｂ、２ｃは、いずれもロック部５が入る大きさの四角形である。また、開口２ａ、２ｂ、２ｃは、一端側から他端側に向かって、長手方向の長さが長くなっている。
【００２１】
具体的には、ロック部５の平面視における面積が７ｍｍ×７ｍｍであるのに対して、開口２ａの開口面積が９ｍｍ×９ｍｍ、開口２ｂの開口面積が２５ｍｍ×９ｍｍ、開口２ｃの開口面積が４０ｍｍ×９ｍｍである。開口２ａは、グリップバンド１の一端側から１５ｍｍ離れた位置に形成されている。開口２ｂは、グリップバンド１の一端側から６５ｍｍ離れた位置に形成されている。開口２ｃは、グリップバンド１の一端側から１２５ｍｍ離れた位置に形成されている。
【００２２】
次に、グリップバンド１の巻き方について説明する。
【００２３】
図３に示すように、結束バンドのロック部５をグリップバンド１の開口２ａに入れた状態で、グリップバンド１を結束バンド上に１回巻きつける。この状態では、ロック部５が開口２ａから突出している。
【００２４】
次いで、図４に示すように、開口２ａと開口２ｂが上下方向に重なるように、グリップバンド１をさらに１回巻く。グリップバンド１をきつく巻いた場合、ロック部５は開口２ｂから突出した状態となるが、グリップバンド１をゆるく巻いた場合、ロック部５は開口２ｂ内に収まった状態（開口２ｂから突出していない状態）となる。開口２ｂの長手方向の長さが、開口２ａの長手方向の長さよりも長いため、グリップバンド１の巻き方および／またはフィルム部材３の枚数に自由度が生じる。
【００２５】
次いで、図５に示すように、開口２ａ、２ｂと開口２ｃが上下方向に重なるように、グリップバンド１をさらに１回巻く。この状態では、グリップバンド１の巻き方に関わらず（きつく巻いた場合でもゆるく巻いた場合でも）、ロック部５は開口２ｃ内に収まった状態（開口２ｃから突出していない状態）となる。グリップバンド１を最後まで巻くと、図２（Ａ）に示すように、本実施形態に係るポンポン１０になる。使用時（完成品状態）は、フィルム部材３の両端部を立体的に広げ、全体として球体形状になるようにする（図２（Ｂ）参照）。
【００２６】
本実施形態に係るグリップバンド１は、開口２ａ、２ｂ、２ｃがいずれもロック部５が入る大きさに形成されており、かつ開口２ａ、２ｂ、２ｃの深さの合計（開口部２の深さ）がロック部５の高さよりも大となる。このため、グリップバンド１を結束バンド上に巻きつけると、結束バンドのロック部５は開口部２内に収まった状態（開口部２から突出していない状態）となる。言い換えれば、グリップバンド１によって、ロック部５の突出状態が解消される。したがって、本実施形態に係るグリップバンド１によれば、使用時の違和感を低減できる。
【００２７】
また、本実施形態に係るグリップバンド１では、結束バンド上に巻かれた状態で上に位置する開口２ａ、２ｂ、２ｃほど開口面積が大であるため、グリップバンド１の巻き方および／またはフィルム部材３の枚数に自由度が生じる。さらに、グリップバンド１として、２層構造の面ファスナーを使用しているため、耐久性を向上させることができる。
【００２８】
以上、本発明に係るポンポンおよびポンポン用グリップバンドの実施形態について説明したが、本発明は上記実施形態に限定されるものではない。
【００２９】
グリップバンド１の形状および／または材質は、適宜変更することができる。例えば、単層構造の面ファスナーで構成されていてもよいし、少なくとも一部にのみ面ファスナーを備えていてもよいし、面ファスナー以外のもので構成されていてもよい。また、２層構造の面ファスナーの場合、例えば、１層目をナイロン素材で構成し、２層目をポリエステル素材で構成してもよい。
【００３０】
開口２ａ、２ｂ、２ｃの形状および／または数は、適宜変更することができる。例えば、開口２ａの深さがロック部５の高さよりも大となる場合、開口２ａのみで開口部２が形成されていてもよい。また、開口２ａ、２ｂ、２ｃがいずれもロック部５が入る大きさに形成されているのであれば、開口２ａ、２ｂ、２ｃの開口面積は同じであってもよい。
【００３１】
結束バンドは、フィルム部材３を結束するストラップ部４と、ストラップ部３の一端側に設けられ、ストラップ部３の他端側が挿通されるとともに他端側を抜け止め状態に保持するロック部５と、を備えるのであれば、適宜構成を変更することができる。
【符号の説明】
【００３２】
１    ポンポン用グリップバンド（グリップバンド）
２    開口部
２ａ、２ｂ、２ｃ    開口
３    フィルム部材
４    ストラップ部
５    ロック部５
６    テープ
１０    ポンポン
【図１】
2018177310.tif 000003
【図２】
2018177310.tif 000004
【図３】
2018177310.tif 000005
【図４】
2018177310.tif 000006
【図５】
2018177310.tif 000007